(57)【要約】【課題】  ファンによる騒音の低減が、装置外寸の大型化を抑制しながら図られた画像記録装置を提供する。【解決手段】  記録媒体に画像を記録する画像記録部と、画像記録部の上部に、空間を介して設けられた、原稿の画像を読み取る原稿読取部とを具備し、画像形成装置が、上記空間に、画像記録部から排出された記録媒体を収容する記録媒体収容領域を有するものであって、さらに、上記空間の、記録媒体収容領域を避けた領域に、装置内の空気を入れ替えるためのダクトを備えた。【選択図】        図３
2005221689.tif 000002
【特許請求の範囲】
【請求項１】
記録媒体に画像を記録する画像記録部と、
前記画像記録部の上部に、空間を介して設けられた、原稿の画像を読み取る原稿読取部とを具備し、
画像形成装置が、前記空間に、前記画像記録部から排出された記録媒体を収容する記録媒体収容領域を有するものであって、さらに、
前記空間の、前記記録媒体収容領域を避けた領域に、装置内の空気を入れ替えるためのダクトを備えたものであることを特徴とする画像形成装置。
【請求項２】
前記ダクトの内壁に吸音材が備えられていることを特徴とする請求項１記載の画像形成装置。
【請求項３】
前記ダクトが、前記記録媒体収容領域に向いた開口を有するものであることを特徴とする請求項１または２記載の画像形成装置。
【請求項４】
記録媒体に画像を記録する画像記録部と、
前記画像記録部の上部に、空間を介して設けられた、原稿の画像を読み取る原稿読取部とを具備し、
画像形成装置が、前記空間に、前記画像記録部から排出された記録媒体を収容する記録媒体収容領域を有するものであって、さらに、
前記記録媒体収容領域に向けて設けられた、空気の排気または吸気のための開口を有する壁面を前記空間に備えたものであることを特徴とする画像形成装置。
【発明の詳細な説明】
【技術分野】
【０００１】
本発明は、画像を表す画像データに基づき記録媒体に画像を形成する画像形成装置に関する。
【背景技術】
【０００２】
従来より、画像を表す画像データに基づき記録用紙などの記録媒体に画像を形成する画像形成装置では、装置内に備えられている様々な機器から放出される熱などにより装置内の温度が上昇するのを防止するために、装置内の空気を入れ換えるためのファンが備えられており、これら画像形成装置では、このファンの駆動音が装置外に漏れ出ることによる騒音について様々な対策がなされている（例えば、特許文献１参照）。
【０００３】
図１は、特許文献１に提案されている複写機を示す図である。
【０００４】
図１には、原稿が置かれ、この原稿を写した画像を表す画像データを生成する原稿読取装置１０１と、用紙上に、原稿読取装置１０１で生成した画像データに基づく画像を記録する、画像が記録された用紙が収容される空間である用紙収容部１０３をその上部に備えた画像記録装置１０２とからなる複写機１００が示されており、原稿読取装置１０１は、画像記録装置１０２の上部に、この画像記録装置１０２との間に用紙収容部１０３を確保しながら画像記録装置１０２によって支持されている。尚、このようなタイプの画像形成装置は胴内排紙タイプと呼ばれている。
【０００５】
図１に示す、胴内排紙タイプの複写機１００では、ファンの排気用の開口１０２ａにフード１０４を取り付け、装置外に漏れ出る駆動音を床側に向わせることで上記ファンによる騒音の低減が図られている。
【特許文献１】特開平１０−３４００３７号公報
【発明の開示】
【発明が解決しようとする課題】
【０００６】
しかし、上記の提案では、開口にフードを取り付けなければならないために装置外寸が大型化するという問題がある。
【０００７】
尚、上記問題は、用紙収容部１０３を確保しながら画像記録装置１０２が原稿読取装置１０１を直接支持している態様のものに限らず、例えば、同じ胴内排紙タイプの画像形成装置でも、フレームで原稿読取装置を支持し、そのフレームに囲まれた中に画像記録装置が収納されて、画像記録装置と原稿読取装置とが完全に離隔している態様のものにおいても同様に起こりうる。
【０００８】
本発明は、上記事情に鑑み、ファンによる騒音の低減が、装置外寸の大型化を抑制しながら図られた画像記録装置を提供することを目的とする。
【課題を解決するための手段】
【０００９】
上記目的を達成するための本発明の画像記録装置のうちの第１の画像形成装置は、
記録媒体に画像を記録する画像記録部と、
上記画像記録部の上部に、空間を介して設けられた、原稿の画像を読み取る原稿読取部とを具備し、
画像形成装置が、上記空間に、上記画像記録部から排出された記録媒体を収容する記録媒体収容領域を有するものであって、さらに、
上記空間の、上記記録媒体収容領域を避けた領域に、装置内の空気を入れ替えるためのダクトを備えたものであることを特徴とする。
【００１０】
本発明は、上下に配置された原稿読取部と画像記録部との間に記録媒体収容領域が設けられた画像形成装置では、この記録媒体収容領域の確保に伴って原稿読取部と画像記録部との間の空間に、デッドスペースである記録媒体収容領域以外の領域が生じていることに着目してなされたものであり、本発明の第１の画像形成装置では、原稿読取部と画像記録部との間の空間のうち記録媒体収容領域を避けた領域に、装置内の空気を入れ換えるためのダクトが備えられている。これにより、空気の入れ換えを行なうファンの駆動音は、このダクトを経由することで減衰された後に装置外に漏れ出ることとなるため、本発明の第１の画像形成装置によれば、装置外寸の大型化を抑制しながらファンによる騒音の低減を図ることができる。
【００１１】
ここで、上記ダクトの内壁に吸音材が備えられていることが好ましい。
【００１２】
このようにすると、ファンによる騒音をさらに低減することができる。
【００１３】
また、上記利用領域が、上記画像形記録部から排出された記録媒体を収容する領域であってもよい。
【００１４】
さらに、上記ダクトが、上記記録媒体収容領域に向いた開口を有するものであることも好ましい態様である。
【００１５】
このように、上記記録媒体収容領域を、開口から漏れ出てくる駆動音を減衰させる空間として利用することでファンによる騒音の低減をさらに図ることができる。
【００１６】
上記目的を達成するための本発明の画像記録装置のうちの第２の画像形成装置は、
記録媒体に画像を記録する画像記録部と、
上記画像記録部の上部に、空間を介して設けられた、原稿の画像を読み取る原稿読取部とを具備し、
画像形成装置が、上記空間に、所定の利用領域を有するものであって、さらに、
上記空間に、上記画像記録部から排出された記録媒体を収容する記録媒体収容領域を有するものであって、さらに、
上記記録媒体収容領域に向けて設けられた、空気の排気または吸気のための開口を有する壁面を上記空間内に備えたものであることを特徴とする。
【００１７】
本発明の第２の画像形成装置には、画像記録部と原稿読取部との間の記録媒体収容領域に向けて設けられた、空気の排気または吸気のための開口を有する壁面が備えられている。これにより、空気の入れ換えを行なうファンの駆動音を、開口から漏れ出た後、この記録媒体収容領域で減衰させることができる。したがって、本発明の第２の画像形成装置によれば、装置外寸の大型化を抑制しながらファンによる騒音の低減を図ることができる。
【発明の効果】
【００１８】
本発明の画像形成装置によれば、ファンによる騒音の低減を、装置外寸の大型化を抑制しながら図ることができる。
【発明を実施するための最良の形態】
【００１９】
以下、本発明の実施形態について説明する。
【００２０】
図２は、本発明の画像形成装置のうちの第１の画像形成装置の一実施形態の外観斜視図である。
【００２１】
図２に示す複写機１は、原稿が置かれ、この原稿を写した画像を表す画像データを生成する原稿読取装置１１と、用紙上に画像データに基づく画像を記録し、画像が記録された用紙が収容される空間である用紙収容部１３をその上部に備えた画像記録装置１２とで構成されている。尚、この用紙収容部１３が、本発明にいう記録媒体収容領域の一例である。
【００２２】
原稿読取装置１１は、原稿が載置される原稿台を有し、原稿画像を表す画像データを生成する本体部１１ｂと本体部１１ｂの原稿台上の原稿を押えるための上蓋部１１ａとで構成されている。尚、本体部１１ｂには、図示しないランプ、ミラー、およびキャリッジ等からなる光学走査系等が収容されている。これら上蓋部１１ａおよび本体部１１ｂが、本発明にいう原稿読取部の一例を構成する。
【００２３】
また、図２には、画像記録装置１２の筐体１２０、筐体１２０内に嵌め込まれた用紙トレイ１２０ｂ、移動用キャスタ１２０ａ、および、用紙収容部１３に向けて、画像が記録された用紙を排出する排出口１２０ｅが示されている。
【００２４】
図３は、本実施形態の複写機の断面図である。
【００２５】
図３には、図２に示す複写機１のＸ―Ｘ’断面が示されており、上述のランプからの熱を後述するダクト１２５に排出するためのファン１１１ｂが本体部１１ｂに備えられている様子が示されている。
【００２６】
また、図３には、画像記録装置１２の構成要素である、用紙トレイ部１２０ｂと、用紙トレイ部１２０ｂから用紙を引き出す用紙引出部１２６と、原稿読取装置１１から送信されてくる画像データを基に画像を形成し用紙に転写する画像転写部１２２と、画像転写部１２２で画像が転写された用紙を加熱・加圧することにより、画像を用紙に定着させる定着部１２３と、用紙を画像転写部１２２や排出口１２０ｅまで搬送する搬送部１２４とが示されており、搬送部１２４には、用紙を搬送するための搬送ロール１２４ａが備えられている。また、定着部１２３には、加熱・加圧の際に発生した熱を装置外に排出するためのファン１２３ａが備えられ、画像転写部１２２には、感光体１２２ａ、感光体１２２ａ上にトナー像を形成する現像器１２２ｂ、および、画像転写部１２２に搬送されてきた用紙に、感光体上に形成されたトナー像を転写するための転写器１２２ｃが備えられている。尚、これら用紙トレイ部１２０ｂ、用紙引出部１２６、画像転写部１２２、定着部１２３、および搬送部１２４が、本発明にいう画像記録部の一例を構成する。
【００２７】
さらに、図３には、原稿読取装置１１の本体部１１ｂに備えられたファン１１１ｂによる排気と、画像記録装置１２の定着部１２３に備えられたファン１２３ａによる排気とが集められるダクト１２５が示されている。
【００２８】
図４も、本実施形態の複写機の断面図である。
【００２９】
図４には、図２に示す複写機１のＹ―Ｙ’断面が示されており、画像記録装置１２の上方右側にダクト１２５が備えられている様子が示されている。また、図４に示すダクト１２５の内壁には、吸音材であるグラスウール１２５ａが張り巡らされている様子も示されている。
【００３０】
図５は、原稿読取装置を取り外した状態の本実施形態の外観斜視図である。
【００３１】
図５には、原稿読取装置１１の下面に当接する支持面のうち斜線面１２０ｆを上面に有する立壁部分の一部にダクト１２５が備えられている様子が示されている。
【００３２】
また、図５には、斜線面１２０ｆに、原稿読取装置１１に備えられたファン１１１ｂによるダクト１２５への排気の際に使用される通気口１２０ｄが設けられている様子が示されている。
【００３３】
図５に示す画像記録装置１２には、ダクト１２５を通じた空気の入れ替えを行なうための通気口１２０ｃが用紙収容部１３に向けて設けられている。これにより、空気の入れ換えを行なうために複写機１の内部に備えられたファンの駆動音のうち、複写機１の外部に漏れ出る音は、内壁に吸音材が張り巡らされたダクト１２５を経由することで減衰した後、用紙収容部１３に向けて設けられた通気口１２０ｃを通じて用紙収容部１３でさらに減衰されてオペレータなど、装置周囲の人間に届くことになる。したがって、この複写機１によれば、ファンによる騒音の低減を、装置外寸の大型化を抑制しながら図ることができる。尚、本実施形態の複写機１では、画像記録装置１２の立壁部の一部にダクト１２５が備えられている場合を例に挙げて説明したが、ダクトが備えられる位置やサイズは、斜線面１２０ｆを上面に有する立壁部内であれば図５に示す位置やサイズに限るものではなく、また、通気口１２０ｃが用紙収容部１３側に向けて設けられている場合を例に挙げて説明したが、通気口１２０ｃが装置外部に向けて設けられている場合であってもファンの騒音の低減を図ることができる。
【００３４】
次に、本発明の画像形成装置のうちの第２の画像形成装置の一実施形態について説明する。
【００３５】
本実施形態の複写機と図２などに示す複写機１とは外寸が同じものの、本実施形態の複写機の画像記録装置１２１では、ダクト１２５が備えられておらず、装置内の空気の入れ換えが、用紙収容部１３０に向けて設けられた通気口１２１０ｃを通じて直接行なわれている点と、図２などに示す複写機１の画像記録装置１２においては、上述の立壁部分のうち、ダクト１２５が備えられている部分の幅寸法がＡであるところ、本実施形態では幅寸法が寸法Ａよりも長い寸法Ｂとなるように用紙収容部１３０側に拡張されている点である。
【００３６】
図６は、第２の画像形成装置の一実施形態の複写機の画像記録装置の外観斜視図である。
【００３７】
図６には、画像記録装置１２１の、原稿読取装置の下面を支持する面のうち斜線面１２１０ｆを上面に有する立壁部分のうち一部の幅寸法の拡張が、用紙収容部１３０を確保した上でなされている様子が示されている。
【００３８】
本実施形態の複写機では、画像記録装置１２１に、装置内に備えられているファンによる排気が集められるダクトは備えられてはいないものの、ファンの駆動音のうち、画像記録装置１２１の立壁部分の、用紙収容部１３０側に向けて設けられている通気口１２１０ｃから漏れ出た音は、空間である用紙収容部１３０において減衰されるため、本実施形態の複写機によっても、ファンによる騒音の低減を、装置外寸の大型化を抑制しながら図ることができる。尚、本実施形態では、用紙収容部１３０側に向けて設けられている通気口１２１０ｃが画像記録装置１２１の立壁部に備えられている場合を説明したが、この通気口１２１０ｃが、原稿読取装置の下面に設けられているものであってもよい。
【００３９】
尚、この実施形態での立壁部の一部の幅は、本発明のうちの第１の画像形成装置の実施形態の用紙収容部１３と比べ用紙収容部１３０を最低限に留めたことにより拡張されており、このことは、本発明のうちの第１の画像形成装置の実施形態においても実施可能であり、第１の画像形成装置の実施形態では、斜線面１２０ｆを上面に有する立壁部分ばかりでなく、このような、用紙収容部１３の見直しによって創出できた領域にダクトを備えてもよい。
【００４０】
また、以上に説明した実施形態では、装置内の空気を入れ換える例として、装置内の熱を排気する場合を例に挙げて説明したが、本発明はこれに限るものではなく、装置内に備えられたファンが吸気を行なうものであってもそれに伴う騒音の低減を図ることができ、また、記録媒体としては用紙に限るものではない。
【００４１】
さらに、以上に説明した実施形態では、原稿読取装置の下面を画像記録装置が直接指示する複写機を例に挙げて説明したが、本発明はこれに限るものではなく、フレームで原稿読取装置の支持し、そのフレームに囲まれた空間に画像記録装置を収納するタイプの複写機を例に挙げても効果が減却されるものではない。
【００４２】
また、以上に説明した実施形態では、原稿読取装置と画像記録措置の間の空間が、用紙収容部として利用されている場合を例に挙げて説明したが、本発明はこの用途に限るものではない。
【図面の簡単な説明】
【００４３】
【図１】特許文献１に提案されている複写機を示す図である。
【図２】本発明の画像形成装置のうちの第１の画像形成装置の一実施形態の外観斜視図である。
【図３】本実施形態の複写機の断面図である。
【図４】本実施形態の複写機の断面図である。
【図５】原稿読取装置を取り外した状態の本実施形態の外観斜視図である。
【図６】第２の画像形成装置の一実施形態の画像記録装置の外観斜視図である。
【符号の説明】
【００４４】
１  複写機
１１  原稿読取装置
１１ａ  上蓋部
１１ｂ  本体部
１１１ｂ、１２３ａ  ファン
１２、１２１  画像記録装置
１２０、１２１０  筐体
１２０ｃ、１２１０ｃ、１２０ｄ、１２１０ｄ  通気口
１２２  画像転写部
１２３  定着部
１２４  搬送部
１２５  ダクト
１２６  用紙引出部
１２５ａ  吸音材
１３  用紙収容部
【図１】
2005221689.tif 000003
【図２】
2005221689.tif 000004
【図３】
2005221689.tif 000005
【図４】
2005221689.tif 000006
【図５】
2005221689.tif 000007
【図６】
2005221689.tif 000008